(57)【特許請求の範囲】
【請求項１】
ＩＥＥＥ１３９４バスに接続する手段を備え、該ＩＥＥＥ１３９４バスを介してＩＥＥＥ１３９４規格準拠の録画機器に対してＡＶ／Ｃコマンドを送信することにより該録画機器を制御する録画タイトル管理装置であって、
前記ＩＥＥＥ１３９４バスに接続された録画機器から、前記ＡＶ／Ｃコマンドを使用して該録画機器で保持されている録画タイトルのリスト情報を取得するリスト情報取得手段と、該取得したリスト情報を記憶する記憶手段と、該記憶手段に記憶されているリスト情報を一覧で表示する表示手段と、該表示手段に表示したリスト情報の一覧から特定の録画タイトルを選択して録画タイトルを操作する入力を受け付ける操作入力手段と、
前記リスト情報の一覧から選択された録画タイトルを保持した録画装置の電源がスタンバイ状態である場合、該スタンバイ状態の録画機器の電源を前記ＡＶ／Ｃコマンドにより投入させ、前記選択された録画タイトルを操作する入力に応じて前記録画機器の制御を行う制御手段と、
前記表示手段に表示したリスト情報の一覧から特定の録画タイトルが選択された場合、該選択された録画タイトルを保持する録画機器が、前記ＩＥＥＥ１３９４バスに接続されているかどうかを判別する判別手段とを有し、
前記制御手段は、前記選択された録画タイトルを保持する録画機器が、前記ＩＥＥＥ１３９４バスに接続されていないと判別された場合、該選択された録画タイトルを保持する録画機器の接続を促すメッセージを前記表示手段に表示し、前記選択された録画タイトルを保持する録画機器の接続が判別されるまで待機することを特徴とする録画タイトル管理装置。
【請求項２】
請求項１に記載の録画タイトル管理装置において、前記メッセージは、録画機器のメーカー名と機種名とを含むことを特徴とする録画タイトル管理装置。
【請求項３】
請求項１に記載の録画タイトル管理装置において、前記メッセージは、録画機器を区別するために予め設定された録画機器固有の記述を含むことを特徴とする録画タイトル管理装置。
【請求項４】
請求項１〜３のいずれか１に記載の録画タイトル管理装置において、
前記リスト情報の一覧には、
前記ＩＥＥＥ１３９４バスに接続され現在操作対象となっている録画機器が保持する録画タイトル、
前記ＩＥＥＥ１３９４バスに接続されているが現在操作対象となっていない録画機器が保持する録画タイトル、
及び現在前記ＩＥＥＥ１３９４バスに接続されていない録画機器が保持する録画タイトルとを、区別可能に明示することを特徴とする録画タイトル管理装置。
【請求項５】
請求項４に記載の録画タイトル管理装置において、前記リスト情報の一覧には、前記録画タイトルを区別するためのアイコンを表示することにより、前記録画タイトルを区別可能に明示することを特徴とする録画タイトル管理装置。
【請求項６】
請求項４に記載の録画タイトル管理装置において、前記リスト情報の一覧には、前記録画タイトルの文字色、及び／または背景色を変えることにより、前録画タイトルを区別可能に明示することを特徴とする録画タイトル管理装置。
【請求項７】
請求項１〜６に記載の録画タイトル管理装置と、デジタル放送信号を選局するデジタルチューナとを備えたデジタル放送受信装置。
【請求項８】
請求項１〜６のいずれか１に記載の録画タイトル管理装置と、該録画タイトル管理装置に前記ＩＥＥＥ１３９４バスを介して接続された録画機器とを有する録画管理システム。
【請求項９】
請求項８に記載の録画タイトル管理システムと、デジタル放送信号を選局するデジタルチューナとを備えたデジタル放送受信装置。
【発明の詳細な説明】
【技術分野】
【０００１】
本発明は、録画タイトル管理装置、録画タイトル管理システム、及びデジタル放送受信装置に関し、より詳細には、ＩＥＥＥ１３９４バスに接続する録画機器を用いて録画したタイトルを選択し、再生・タイトル保護・削除、他メディアへの移動を行うようにした録画タイトル管理装置と、該装置及び録画装置を有する録画管理システムと、録画タイトル管理装置またはシステムを備えたデジタル放送受信装置とに関するものである。
【背景技術】
【０００２】
現在のデジタルチューナもしくは、テレビ受信機等のデジタル放送受信装置に内蔵したデジタルチューナの多くはＩＥＥＥ１３９４端子を備えていて、ＩＥＥＥ１３９４規格準拠の録画機器を外部に接続することができるようになっている。そしてデジタルチューナでは、接続した録画機器を制御して、デジタルチューナが選局したストリームを録画させる機能を有している。
【０００３】
ＩＥＥＥ１３９４バスには、一般に複数の機器を接続することができるため、一つのデジタルチューナに対して複数の録画機器を接続することが可能であるが、録画・再生などの操作対象とする録画機器は一つである。
また、ハードディスクなどの録画機器の内蔵メディアには、一般に複数のタイトルを録画することが可能である。そしてデジタルチューナ側では、現在操作対象としている機器内の録画タイトルの一覧をデジタル放送受信装置の画面に表示させ、録画タイトルの再生、保護、削除、他のメディアへの移動を行うことができるユーザインターフェースを持っている。なお“タイトル”とは“録画コンテンツのデータ”そのものを指している。
【０００４】
このようなデジタル放送受信機の操作を行う場合、ユーザはリモコンを使用し、デジタル放送受信装置の画面にＯＳＤ（On Screen Display）表示されたＧＵＩ（Graphical User Interface）を用いて対話的に操作を行なうことが一般的であり、上記の録画タイトルの選択操作もデジタル放送受信機の画面とリモコンとを用いて行うことができる。
例えば特許文献１には、録画再生装置の外部ストレージに録画した場合に、この外部ストレージが未接続の状態でも録画コンテンツを再生可能とした録画再生装置が開示されている。ここでは複数の外部ストレージに録画したタイトルを、外部ストレージが未接続の場合にも選択して再生する技術が記述されている。
【０００５】
一般にＩＥＥＥ１３９４バスには複数の録画機器を接続することが可能である。また、ＩＥＥＥ１３９４バスを介して録画機器を接続したデジタル放送受信機等では、録画機器の電源のＯＮ／ＯＦＦなどの状態を当該録画機器から取得し、ＡＶ／Ｃコマンドを送出することでその録画機器を制御することができる。このことから、ユーザが録画タイトルを選択するにあたっては、デジタル放送受信機に接続されている録画機器、あるいは接続されていない録画機器の中から、録画タイトルが保存されている録画機器を探し出し、操作対象として選択して利用するための適切な制御技術が求められている。
【特許文献１】特開２００６−２９５５１５号公報
【発明の開示】
【発明が解決しようとする課題】
【０００６】
デジタルチューナ内蔵のデジタル放送受信機もしくは単体のデジタルチューナ（以下デジタルチューナ側装置とする）に録画機器を接続した構成において、デジタルチューナ側装置で録画タイトル一覧画面を表示するためには、録画機器に保持されている録画タイトルのリスト情報を取得する必要があり、そのためには録画機器の電源が投入されていなければならない。このため、ユーザはまず録画機器の電源を投入する必要がある。
【０００７】
またデジタルチューナ側装置に複数の録画機器が接続されている場合でも、デジタルチューナ側装置でＧＵＩとリモコンを用いて操作できる操作対象の録画機器は、操作対象として選択された１つの録画機器である。従ってユーザが録画タイトルを選択する場合でも、現在操作対象となっている録画機器に保持されているタイトルしか選択することができない。この場合、ユーザは所望の録画タイトルがどの録画機器に保持されているかを思い出し、その録画機器を操作対象として選択する必要が生じる。
さらに、所望の録画タイトルは、ＩＥＥＥ１３９４バスに接続されていない録画機器に保存されている可能性もあり、その場合ユーザは、録画機器とデジタルチューナ側装置とをケーブルで接続して操作対象としたうえで、録画機器の電源を投入して録画タイトルを確認する、という手順が必要となる。
【０００８】
また上記特許文献１には、複数のストレージに録画したタイトルを、外部ストレージが未接続の場合にも選択して再生する技術に関して記述されているが、これは外部ストレージを利用するときにだけその外部ストレージを録画再生端末装置に接続して利用することを前提としている。ここでは、録画先の外部ストレージが未接続であるときに、その機種情報を表示することで、ユーザが未接続の外部ストレージを録画再生端末装置に接続できるようになっている。しかしながら、特許文献１の技術では、操作対象であっても電源が投入されていない録画機器や、操作対象としていない録画機器、あるいは接続されていない録画機器の録画タイトルを表示して選択して操作対象とすることはできない。
【０００９】
本発明は、上述のごとき実情に鑑みてなされたもので、ＩＥＥＥ１３９４バスを介して録画機器を接続する録画タイトル管理装置において、電源が投入されていない録画機器に保持されている録画タイトルや、操作対象としていない録画機器に保持されている録画タイトル、あるいは現在接続されていない録画機器に保持されている録画タイトルを一覧で表示し、録画タイトルを選択して操作対象とすることを可能とした録画タイトル管理装置と、該録画タイトル管理装置及び録画装置を有する録画管理システムと、録画タイトル管理装置または録画タイトル管理システムを備えたデジタル放送受信装置とを提供することを目的とするものである。
【課題を解決するための手段】
【００１０】
上記課題を解決するために、本発明の第１の技術手段は、ＩＥＥＥ１３９４バスに接続する手段を備え、ＩＥＥＥ１３９４バスを介してＩＥＥＥ１３９４規格準拠の録画機器に対してＡＶ／Ｃコマンドを送信することにより録画機器を制御する録画タイトル管理装置であって、ＩＥＥＥ１３９４バスに接続された録画機器から、ＡＶ／Ｃコマンドを使用して録画機器で保持されている録画タイトルのリスト情報を取得するリスト情報取得手段と、取得したリスト情報を記憶する記憶手段と、記憶手段に記憶されているリスト情報を一覧で表示する表示手段と、表示手段に表示したリスト情報の一覧から特定の録画タイトルを選択して録画タイトルを操作する入力を受け付ける操作入力手段と、リスト情報の一覧から選択された録画タイトルを保持した録画装置の電源がスタンバイ状態である場合、スタンバイ状態の録画機器の電源をＡＶ／Ｃコマンドにより投入させ、選択された録画タイトルを操作する入力に応じて録画機器の制御を行う制御手段と、表示手段に表示したリスト情報の一覧から特定の録画タイトルが選択された場合、選択された録画タイトルを保持する録画機器が、ＩＥＥＥ１３９４バスに接続されているかどうかを判別する判別手段とを有し、制御手段は、選択された録画タイトルを保持する録画機器が、ＩＥＥＥ１３９４バスに接続されていないと判別された場合、選択された録画タイトルを保持する録画機器の接続を促すメッセージを表示手段に表示し、選択された録画タイトルを保持する録画機器の接続が判別されるまで待機することを特徴としたものである。
【００１３】
第２の技術手段は、第１の技術手段において、メッセージは、録画機器のメーカー名と機種名とを含むことを特徴としたものである。
【００１４】
第３の技術手段は、第１の技術手段において、メッセージは、録画機器を区別するために予め設定された録画機器固有の記述を含むことを特徴としたものである。
【００１５】
第４の技術手段は、第１〜第３のいずれかの技術手段において、リスト情報の一覧には、ＩＥＥＥ１３９４バスに接続され現在操作対象となっている録画機器が保持する録画タイトル、ＩＥＥＥ１３９４バスに接続されているが現在操作対象となっていない録画機器が保持する録画タイトル、及び現在ＩＥＥＥ１３９４バスに接続されていない録画機器が保持する録画タイトルとを、区別可能に明示することを特徴としたものである。
【００１６】
第５の技術手段は、第４の技術手段において、リスト情報の一覧には、録画タイトルを区別するためのアイコンを表示することにより、録画タイトルを区別可能に明示することを特徴としたものである。
【００１７】
第６の技術手段は、第４の技術手段において、リスト情報の一覧には、録画タイトルの文字色、及び／または背景色を変えることにより、前録画タイトルを区別可能に明示することを特徴としたものである。
【００１８】
第７の技術手段は、第１〜第６の技術手段と、デジタル放送信号を選局するデジタルチューナとを備えたデジタル放送受信装置である。
【００１９】
第８の技術手段は、第１〜第６のいずれかの技術手段と、録画タイトル管理装置にＩＥＥＥ１３９４バスを介して接続された録画機器とを有する録画管理システムである。
【００２０】
第９の技術手段は、第８の技術手段と、デジタル放送信号を選局するデジタルチューナとを備えたデジタル放送受信装置である。
【発明の効果】
【００２１】
本発明によれば、ＩＥＥＥ１３９４バスを介して録画機器を接続する録画タイトル管理装置において、電源が投入されていない録画機器に保持されている録画タイトルや、操作対象としていない録画機器に保持されている録画タイトル、あるいは現在接続されていない録画機器に保持されている録画タイトルを一覧で表示し、選択して操作対象とすることを可能とすることで、操作の効率を向上させることができる。
また上記の録画タイトル管理装置及び録画装置を有する録画管理システムと、録画タイトル管理装置またはシステムを備えたデジタル放送受信装置とを提供することができる。
【発明を実施するための最良の形態】
【００２２】
図１は、本発明に係る録画タイトル管理装置の一実施形態を説明するためのブロック図で、録画タイトル管理装置を備えたデジタル放送受信装置の構成例を示すものである。図１に示すデジタル放送受信装置は、地上デジタル放送、ＢＳ／ＣＳ放送を受信可能で、ＩＥＥＥ１３９４バスを接続するインタフェースを有し、ＩＥＥＥ１３９４バスに接続した複数の外部録画機器を制御して録画タイトルのリスト情報から録画タイトルを選択する手段を備えるものである。
【００２３】
図１において、地上波アンテナ 1で受信された地上波デジタル放送電波、及び衛星アンテナ３で受信されたＢＳ／ＣＳ放送電波は、それぞれ地上デジタルチューナ２、ＢＳ／ＣＳチューナー４により選局されてデマルチプレクスサ（ＤＥＭＵＸ）７に送られる。デマルチプレクスサ７は、多重化されたデータを各チャンネルごとに並び替え、ＣＰＵ９から選局指定されたチャンネルだけを取り出し、映像部分のパケットからなるビデオストリームをＭＰＥＧデコーダ８に送出する。また録画機器１６，１７からの再生ストリームもまた同様に処理される。リモコン１４に設けられたキーが押下されると、リモコン１４から送信されたリモコン信号が受光部１３で受光されたＣＰＵ９に入力し、ＣＰＵ９はリモコン信号に対応した処理を行い、必要に応じてＯＳＤ画像を生成して ＶＲＡＭ１０に書き込む。
【００２４】
ＯＳＤ表示装置１１は、ＭＰＥＧデコーダ８に送られる画像にＯＳＤ画像を重畳し、それをモニタ１２に表示する。
ＤＲＡＭ６は、デジタル放送受信装置の動作中、その動作を実行するためのプログラムおよびデータを保持している。また、電源を切った後でもデータを保持しておくためにフラッシュメモリ５が外部記憶として用いられる。
【００２５】
また、デジタル放送受信装置は ＣＰＵ９とデマルチプレクスサ７に接続されたＩＥＥＥ１３９４インタフェース１５を介して他の録画機器を制御することが可能である。ここではデジタル放送受信装置は、ＩＥＥＥ１３９４インタフェース１５に接続したバス上に設置された他の録画機器１６，１７に対してＡＶ／Ｃコマンドを送信することにより、これら録画機器のステータス(電源の入／切、動作状態)の取得、ならびに録画、再生等の録画機器の制御、録画機器に保持された録画タイトルのリスト情報の取得、さらに録画機器に保持された録画済タイトルの保護／保護解除設定、削除、他の録画メディアへの移動等の操作を行なうことができる。ＡＶ／Ｃコマンドは、周知のようにＩＥＥＥ１３９４規格で用意されたコマンドであり、ＩＥＥＥ１３９４バスで接続されたＡＶ機器の能力確認や制御を行うために規定されたものである。
【００２６】
本発明に係る実施形態では、モニタ１２上に表示されるＧＵＩに対してユーザがリモコン１４の操作により指示を与え、これをＣＰＵ９で処理した結果をさらにモニタ１２上に表示させることによって、モニタ１２に表示される画像がユーザ操作に応じて変化していく。これによりユーザは、デジタル放送受信装置に対して対話的に指示を与えることができる。
【００２７】
図２は、本発明に係るデジタル放送受信装置の操作に用いられるリモコンの構成例を示す図である。リモコン１４１は、デジタル放送受信装置が有する一般的な選局関係のボタンとして、数字ボタン（ダイレクト選局ボタン）１４１、放送切換ボタン１４２、及びチャンネルＵＰ／ＤＯＷＮボタン１４３が設けられている。さらにこれらのボタンに加えて、リモコン１４１には、ＩＥＥＥ１３９４規格に準拠した機器を操作するためのＧＵＩを表示させる機器操作ボタン１４４と、そのＧＵＩを操作するための方向ボタン１４５及び決定ボタン１４６とが用意されている。
【００２８】
図３は、リモコンの操作に応じてモニタに表示される機器選択ＧＵＩの表示画面の一例を示す図である。ユーザがリモコン１４１の機器操作ボタン１４４を押すと、操作対象機器が選択されていない場合には、図３に示すような機器選択ＧＵＩがモニタ１２に表示される。ユーザは、モニタ１２に表示された機器選択ＧＵＩを、リモコン１４の方向ボタン１４５及び決定ボタン１４６を用いて操作することにより、操作対象とする録画機器を選択することができる。この機器選択ＧＵＩは、後述の機器操作ＧＵＩが表示されている画面でＧＵＩ上の「機器選択」ボタンを押した場合でも表示させることができる。そしてこの機器操作ＧＵＩにより、複数台の録画機器を接続している状態でも操作対象機器を切り換えることが可能となる。
【００２９】
デジタル放送受信装置は、接続された録画機器からその録画機器の情報(メーカー、機種名)と、その録画機器が保持する録画タイトルのリスト情報とを取得し、これら取得した情報と機器固有のＧＵＩＤ（Globally Unique Identifier）とを対にして、キャッシュとしてフラッシュメモリ５に保持する。これにより、デジタル放送受信装置に一度でも接続されたことがある録画機器の情報がフラッシュメモリ５に保持される。この情報は、機器選択ＧＵＩからユーザにより任意の録画機器が削除されるまで有効となる。
このため、機器選択ＧＵＩには、現在操作対象となっている録画機器のほか、ケーブルが接続されているが操作対象となっていない録画機器、ケーブルが接続されていない録画機器も表示されている。なお録画機器に保持された録画タイトルとは、録画機器に内蔵されたハードディスクなどの記憶メディアに記憶保持されている録画タイトルが対象となる。
【００３０】
図３に示すように、機器選択ＧＵＩでは、過去に情報を取得できた録画機器が一覧で表示され、各録画機器においては、機器名１０４、メーカー名１０５、型名１０６の情報を含む録画機器の情報が表示される。
ここではデジタル放送受信装置に接続されていない録画機器の情報１０１、デジタル放送受信装置に接続されていて現在操作対象として選択中の録画機器の情報１０２、及びデジタル放送受信装置に接続されているが現在操作対象として選択されていない録画機器の情報１０３がそれぞれ明示的に区別できるように表示されている。さらに機器選択ＧＵＩでは、選択された録画機器の解除を行う機器使用解除ボタン１０７が設けられている。
【００３１】
図３の機器選択ＧＵＩは、ユーザがリモコン１４１の機器操作ボタン１４４を押したとき、操作対象機器が選択されていない場合に表示されるもので、その機器選択ＧＵＩに表示された録画機器をユーザが選択することで、現在選択中の録画機器の情報１０２が明示的に表示される。
例えば図３の例では、デジタル放送受信機に接続されていない録画機器の情報１０１は反転表示される。またデジタル放送受信機に接続されていて現在操作対象として選択中の録画機器の情報１０２には、選択されていることを示す所定のマーク１０２ａが表示される。またデジタル放送受信機に接続されているが現在操作対象として選択されていない録画機器の情報１０３では、上記の反転表示もなく、また所定のマーク１０２ａも表示されない。
【００３２】
また録画機器の利用環境によっては、ユーザは、同じメーカーで同じ機種の録画機器を複数台所有して同時に利用することも考えられる。このような場合に備えて、録画機器の情報表示に対して、録画機器を区別するために予め設定された録画機器固有の記述として、ユーザが指定したラベルを付することができるようにしてもよい。ここでは上記のメーカー名１０２、機種名１０４の代わりに、あるいはこれらに併記してユーザ指定のラベルを表示させるようにすることができる。例として、「ドラマ用（１）」、「映画用・一時保存」などのラベルを指定して、表示させることができる。
【００３３】
図４は、リモコンの操作に応じてモニタに表示される録画機器操作ＧＵＩの表示画面の一例を示す図である。ユーザがリモコン１４の機器操作ボタン１４４を押したとき、デジタル放送受信装置にて操作対象機器が設定されている場合には、図４に示すような録画機器操作ＧＵＩが表示される。ユーザは、リモコン１４の方向ボタン１４５及び決定ボタン１４６で録画機器操作ＧＵＩを操作することにより、選択されている録画機器の電源入／切、録画、再生、一時停止、停止、早送り、巻き戻しなどの操作を行うことができる。
【００３４】
この録画機器操作ＧＵＩには、選択されている録画機器の機器名、メーカー名、機種名等の情報１１１が表示されるとともに、録画機器の動作状態やディスク残（記憶容量残）の情報１１２、及び録画機器の電源入／切、録画、再生、一時停止、停止、早送り、巻き戻しなどの操作を行うための各種操作ボタン１１３が表示される。また各種操作ボタン１１３の１つとして機器選択ボタン１１５が設けられ、ユーザがリモコン１４を用いてこの機器選択ボタン１１５を押すと、上記図３に示したような機器選択ＧＵＩを表示させることができる。
また各種操作ボタン１１３として、録画リストボタン１１４が設けられている。ユーザがリモコン１４を用いて録画リストボタン１１４を押すと、デジタル放送受信装置では、以下に説明する録画タイトル選択ＧＵＩをモニタ１２に表示する。
【００３５】
図５は、リモコン操作に応じてモニタに表示される録画タイトル選択ＧＵＩの表示画面の例を示す図で、図５（Ａ）は録画タイトルを選択するための録画タイトル選択画面、図５（Ｂ）は録画タイトルの状態をアイコンで区別した録画タイトル選択画面、図５（Ｃ）は録画タイトルの状態を背景色で区別した録画タイトル選択画面を示す図である。
【００３６】
図４の録画機器操作ＧＵＩで録画リストボタン１１４を押すと、図５（Ａ）に示すような録画タイトル選択画面が表示される。この録画タイトル選択画面では、デジタル放送受信装置が過去に録画機器から取得した録画タイトルのリスト情報が表示される。デジタル放送受信装置では、録画装置から録画タイトルそのものを取得しているわけではなく、録画タイトルのリスト情報を取得して保持しておき、このリスト情報を用いて録画タイトル選択画面に録画タイトルのリストを表示させる。
【００３７】
この録画タイトル選択画面では、ユーザはリモコン１４の方向キー１４５と決定キー１４６とを使用して、操作対象とする録画タイトルを選択し、その選択した録画タイトルに対して再生、タイトル保護／解除、削除、他の録画メディアへの移動等の操作を行うことができる。ここでは、選択対象となる録画タイトル１２１と、選択した録画タイトルをプレビューするためのプレビュー画面１２２と、録画タイトルの再生、移動、保護、削除を行うための操作ボタン１２３と、録画タイトルの再生状況をバーによって示すバー表示１２４等が設定されている。
【００３８】
前述のように、デジタル放送受信装置では、一度でも接続されたことがある録画機器で保持されている録画タイトルのリスト情報を取得し、キャッシュとして保持している。従ってここで表示される録画タイトルは、現在操作対象としている録画機器に保持されている録画タイトルだけでなく、現在接続しているが操作対象とはなっていない録画機器に保持されている録画タイトル、及び現在接続されていない録画機器に保持されている録画タイトルも含むことができる。
【００３９】
このような録画機器の接続状態、操作対象としているか否かの状態を区別してユーザが直感的に判断しやすくするために、図５（Ｂ）あるいは図５（Ｃ）のように、アイコンや文字表示色、背景色で情報表示の差異を与えてもよい。
例えば図５（Ｂ）の場合には、録画機器の接続状態及び録画機器が操作対象として選択されているか否かを示すアイコン１３０を表示する。そしてこれらアイコン１３０のうち、現在操作対象として選択中の録画機器に保持されている録画タイトルを示すアイコン１３１と、デジタル放送受信装置に接続されているが現在操作対象として選択されていない録画機器に保持されている録画タイトルを示すアイコン１３２と、現在デジタル放送受信装置に接続されていない録画機器に保持されている録画タイトルを示すアイコン１３３とにおいて、各アイコンの表示色あるいは色の濃さなどを変化させて視覚的に区別可能に明示する。またこのときに、録画タイトルの文字色を変化させて区別可能としてもよく、あるいは文字色と背景色を組み合わせて区別可能としてもよい。
【００４０】
また例えば図５（Ｃ）の場合には、現在操作対象として選択中の録画機器に保持されている録画タイトル１２１ａと、デジタル放送受信装置に接続されているが現在操作対象として選択されていない録画機器に保持されている録画タイトル１２１ｂと、現在デジタル放送受信装置に接続されていない録画機器に保持されている録画タイトル１２１ｃとにおいて、それらの表示の背景色を変化させて視覚的に区別可能に明示している。
【００４１】
以下に図５に示すような録画タイトル選択ＧＵＩにおいて、ユーザがリモコン１４を粗操作して、決定ボタン１４６で所望の録画タイトルを選択したときの動作について説明する。
（処理Ａ）
ユーザにより選択された録画タイトルが、現在操作対象となっている録画機器に保持されている録画タイトルである場合は、デジタル放送受信装置では、ＡＶ／Ｃコマンドを用いてその録画機器のステータス情報を取得する動作を行う。そしてその録画機器の電源が入っていないことが判明した場合には、電源をＯＮさせるＡＶ／Ｃコマンドをその録画機器に対して送信し、電源ステータスがＯＮに変化するまで待つ。
なおこの場合、録画機器の電源が投入されていない状態とは、ＡＶ／Ｃコマンドの送受信が可能なスタンバイ状態を指すものとする。スタンバイ状態は、装置本体の電源がＯＦＦになっているが、リモコン信号の受信機能やＡＶ／Ｃコマンドの処理機能等のみが動作している状態をさす。これにより、デジタル放送受信機ではＡＶ／Ｃコマンドを用いて電源が投入されていない状態の録画機器のステータス情報（電源ステータスＯＦＦ）を取得することができる。後述する処理Ｂ，処理Ｃにおいても少なくとも録画機器がスタンバイ状態になっている必要がある。
【００４２】
そしてその後、デジタル放送受信装置では、録画機器から取得した録画タイトルの情報と、選択された録画タイトルについて予めキャッシュとして保持している録画タイトルの情報とが合致する場合は、ユーザの指示に従ってその録画タイトルの再生、録画タイトルの保護／保護解除、もしくは削除の操作を行うためのＡＶ／Ｃコマンドを録画機器に送信する。あるいは、ユーザの指示に従って他の録画メディアへの移動を指示するＡＶ／Ｃコマンドを録画機器に送信する。
【００４３】
（処理Ｂ） 
選択された録画タイトルが、現在接続されているが操作対象となっていない録画機器に保持されている録画タイトルである場合、デジタル放送受信装置では、まず該当する録画機器を選択してコネクションを確立し、その録画機器を操作対象として設定する。コネクションの確立が確認された後は上記（処理Ａ）と同じ処理となる。
【００４４】
（処理Ｃ） 
選択された録画タイトルが、現在接続されていない録画機器である場合、デジタル放送受信装置では、対象の録画機器を接続するようユーザに促すメッセージを表示し、該当録画機器が接続されるまで待つ。ここでは、デジタル放送受信装置は、新しい録画機器が接続されたことが検出されると、検出した録画機器のＧＵＩＤを取得し、デジタル放送受信装置でキャッシュとして保持している録画機器情報と上記ＧＵＩＤとが合致したときに、必要な録画機器が接続されたことを判定できる。また、ユーザの利便を図ってこのメッセージにメーカー名及び機種名、あるいいはユーザが事前登録したラベルなどの録画機器固有の記述を含めるようにしてもよい。
【００４５】
図６は、選択された録画機器を接続するようユーザに促すためのメッセージの表示画面例を示す図である。上記のように、デジタル放送受信機に現在接続されていない録画機器に保持されている録画タイトルが選択されたときに、デジタル放送受信装置では、例えば図６（Ａ）あるいは図６（Ｂ）に示すような録画機器の接続をユーザに促すメッセージを表示させることができる。
図６（Ａ）の例では、録画機器の接続を促すメッセージには、選択された録画タイトル１４１と、その録画タイトルが保持されている録画機器の機種名１４２及びメーカー名１４３とが含まれている。また図６（Ｂ）の例では、録画機器の接続を促すメッセージには、選択された録画タイトル１４１と、その録画タイトルが保持されている録画機器に対してユーザが事前に登録した録画機器固有の記述１４４（ここでは「ドラマ用（１）」）とが含まれている。こうしてメッセージによって録画機器の接続をユーザに促し、接続された録画機器がデジタル放送受信装置で検出された後は、上記（処理Ｂ）と同じ処理となる。
【００４６】
図７は、本発明に係るデジタル放送受信装置における録画タイトル選択時の処理の一例を説明するためのフローチャートである。
デジタル放送受信装置では、例えば図５に示すような状態で表示した録画タイトルのなかから、ユーザ操作によって特定の録画タイトルが選択された場合、選択された録画タイトルが、デジタル放送受信装置に接続されている録画機器に保持されているかどうかを判別する（ステップＳ１）。
【００４７】
ここで選択された録画タイトルが、デジタル放送受信装置に接続されている録画機器に保持されていなければ、録画機器の接続を要求するメッセージを表示する（ステップＳ６）。このメッセージは例えば上記図６に示すような形態で表示することができる。そして録画機器が接続されたか否かを判別し（ステップＳ７）、録画機器が接続されたならば、選択された録画タイトルが現在選択されている操作対象の録画機器に保持されているかどうかを判別する（ステップＳ２）。
一方、上記ステップＳ１で、選択された録画タイトルが、接続されている録画機器に保持されている場合にも、ステップＳ２で、選択された録画タイトルが現在選択されている操作対象の録画機器に保持されているかどうかを判別する。
【００４８】
そして選択された録画タイトルが現在操作対象となっている録画機器に保持されていない場合には、その選択された録画タイトルが保持されている録画機器を操作対象として選択する（ステップＳ８）。そして上記ステップＳ２で、選択された録画タイトルが現在選択されている操作対象の録画機器に保持されている場合、またはステップＳ８で録画機器を選択対象として選択した場合、その録画機器の電源が入っているかどうかを判別する（ステップＳ３）。
【００４９】
ここで電源が入っていれば、録画タイトルの情報が事前に持っていたキャッシュと合致するかどうかを判別する（ステップＳ４）。またステップＳ３で電源が入っていない場合には、その録画機器の電源投入処理を行い（ステップＳ９）、ステップＳ４で録画タイトルの情報とキャッシュとの合致を判別する。
ここで録画タイトルの情報とキャッシュとが合致すれば、録画タイトルに対してユーザ指定の操作を行って（ステップＳ５）、正常終了する。一方、録画タイトルの情報とキャッシュとが合致しなければ、警告を表示するなどして異常により終了させる。
【００５０】
上述した実施形態では、本発明に係る録画タイトル管理装置を備えたデジタル放送受信装置の実施形態を説明した。
本発明に係る録画タイトル管理装置は、ＩＥＥＥ１３９４バスに接続された録画機器から、ＡＶ／Ｃコマンドを使用して録画機器で保持されている録画タイトルのリスト情報を取得するリスト情報取得手段と、その取得したリスト情報を記憶する記憶手段と、記憶手段に記憶されているリスト情報を一覧で表示する表示手段と、表示手段に表示したリスト情報の一覧から特定の録画タイトルを選択し、該選択した録画タイトルを操作する入力を受け付ける操作入力手段とを有している。また選択され録画タイトルを保持する録画機器がＩＥＥＥ１３９４バスに接続されているかどうかを判別する判別手段を有している。さらに録画タイトル管理装置では、電源の入っていない録画機器の電源を投入させる制御、及び録画機器を接続させるメッセージを表示させる制御等が実行される。
【００５１】
上述のデジタル放送受信装置に係る実施形態では、上記のリスト情報取得手段、及び判別手段は、ＣＰＵ９及びＩＥＥＥ１３９４インタフェース１５によって実現される。また上記の記憶手段は、フラッシュメモリ５が該当する。また上記の表示手段はモニタ１２によって実現され、操作入力手段は、リモコン１４もしくは図示しない装置本体キー等によって実現される。また電源の入っていない録画機器の電源を投入させる制御、及び録画機器を接続させるメッセージを表示させる制御等は、ＣＰＵ９による制御によって実現される。
【００５２】
本発明に係る録画タイトル管理装置は、デジタル放送受信装置にのみならず、上記各手段を備えた単体の装置、あるいはこれら各手段を備えた録画タイトル管理装置を他の装置に適用して構成することができる。例えば上記各手段を実現する構成を備えた録画管理装置を、単体のデジタルチューナに適用して構成することができる。この場合、デジタルチューナにＩＥＥＥ１３９４バスを介して接続され録画機器を対象として、録画管理装置から送信するＡＶ／Ｃコマンドを用い、上記デジタル放送受信機の実施形態で説明したような録画タイトルの管理制御を実行させることができる。
【００５３】
さらに本発明に係る録画タイトル管理システムは、上記実施形態に係る録画タイトル管理装置と、その録画タイトル管理装置にＩＥＥＥ１３９４バスを介して接続された録画機器とを有する録画管理システムとして構成することができる。この場合、録画管理システムは、録画タイトル管理装置を備えたデジタル放送受信装置やデジタルチューナに対して、録画機器が外部接続された構成を有していてもよく、あるいは録画タイトル管理装置を備えたデジタル放送受信装置やデジタルチューナに、録画装置が内蔵された構成を有していてもよい。
【図面の簡単な説明】
【００５４】
【図１】本発明に係る録画タイトル管理装置の一実施形態を説明するためのブロック図である。
【図２】本発明に係るデジタル放送受信装置の操作に用いられるリモコンの構成例を示す図である。
【図３】リモコンの操作に応じてモニタに表示される機器選択ＧＵＩの表示画面の一例を示す図である。
【図４】リモコンの操作に応じてモニタに表示される録画機器操作ＧＵＩの表示画面の一例を示す図である。
【図５】リモコン操作に応じてモニタに表示される録画タイトル選択ＧＵＩの表示画面の例を示す図である。
【図６】選択された録画機器を接続するようユーザに促すためのメッセージの表示画面例を示す図である。
【図７】本発明に係るデジタル放送受信装置における録画タイトル選択時の処理の一例を説明するためのフローチャートである。
【符号の説明】
【００５５】
１…地上波アンテナ、２…地上デジタルチューナ、３…衛生アンテナ、４…ＣＳチューナー、５…フラッシュメモリ、６…ＤＲＡＭ、７…デマルチプレクスサ、８…ＭＰＥＧデコーダ、９…ＣＰＵ、１０…ＶＲＡＭ、１１…ＯＳＤ表示装置、１２…モニタ、１３…受光部、１４…リモコン、１５…ＩＥＥＥ１３９４インタフェース、１６，１７…録画機器。
【図１】
0004866339.tif 000002
【図２】
0004866339.tif 000003
【図３】
0004866339.tif 000004
【図４】
0004866339.tif 000005
【図５】
0004866339.tif 000006
【図６】
0004866339.tif 000007
【図７】
0004866339.tif 000008